(57)【特許請求の範囲】
【請求項１】
一方の表面側に調理器具を掛止または収容することにより前記調理器具を収納するための部材が取付けられた板状の調理器具収納パネルと、
前記調理器具収納パネルをその一側面側で片持ち状態で保持する保持部材と、
前記保持部材を介して前記調理器具収納パネルの一方の表面側に収容された調理器具が取り出し可能な第１の位置と前記調理器具収納パネルの他方の表面により前記一方の表面側に収納された調理器具が隠れる第２の位置との間を回動可能にシステムキッチンなどに取り付けるための支柱部材
とより構成された調理器具収納ユニット。
【請求項２】
前記支柱部材は、前記調理器具収納パネルが前記第１の位置および前記第２の位置において、前記調理器具収納パネルの上部側が前記調理器具収納パネルの下部側よりも所定の角度、前記第１の位置および前記第２の位置との間の空間よりも、その外側方向に傾斜するように前記保持部材を介して保持することを特徴とする請求項１記載の調理器具収容ユニット。
【請求項３】
一方の表面側に調理器具を掛止または収容することにより前記調理器具を収納するための部材が取付けられた板状の調理器具収納パネルと、
前記調理器具収納パネルをその一側面側で片持ち状態で保持するとともに、垂直方向に延び、少なくても両端部が円柱状に構成されている第１の保持部材と、
前記第１の保持部材の前記両端部を回動可能に収容する溝を備えた上下２つの第２の保持部材を備え、前記第１の保持部材を介して前記調理器具収納パネルの一方の表面側に収容された調理器具が取り出し可能な第１の位置と前記調理器具収納パネルの他方の表面により前記一方の表面側に収納された調理器具が隠れる第２の位置との間を回動可能にシステムキッチンなどに取り付けるための支柱部材と
より構成された調理器具収納ユニット。
【請求項４】
前記上下２つの第２の保持部材は、前記調理器具収納パネルが前記第１の位置および前記第２の位置において、前記調理器具収納パネルの上部側が前記調理器具収納パネルの下部側よりも所定の角度、前記第１の位置および前記第２の位置の間の空間よりも外側方向に傾斜するように支柱部材に対して前記支柱部材の周方向の位置が互い異なるように取付けられていることを特徴とする請求項３記載の調理器具収容ユニット。
【請求項５】
前記上下２つの第２の保持部材の前記支柱部材の軸方向への取付け間隔は、前記第１の保持部材の軸方向の長さより短く、且つ、少なくても上側の第２の保持部材に設けられた前記第１の保持部材の一方の先端部を収容する前記溝の深さは、前記第１の保持部材の軸方向の全長から前記支柱部材の取付け間隔の距離を引いた長さよりも深く構成されていることを特徴とする請求項３または４記載の調理器具収容ユニット。
【請求項６】
前記支柱部材は、両端において、前記調理器具収納パネルをシステムキッチンなどに固定するための平板状のガイドを備えるとともに、前記支柱部材の軸方向の長さを変化させる構造を有することを特徴とする請求項１乃至４何れか１項記載の調理器具収納ユニット。
【発明の詳細な説明】
【技術分野】
【０００１】  本発明はキッチンや調理場などに設置可能で調理器具を収納可能な調理器具収納ユニットに関するものである。
【背景技術】
【０００２】  キッチンや調理場などにおいて、調理器具を容易に収納出来るとともに、取り出しも容易にすることが、調理の効率化や迅速化においては重要な課題である。
それを実現する方法として、例えば、システムキッチンのシンクの後側の壁面部分に壁面部から一定の間隔を隔てて配置した調理器具小物を収容するパネルを配置し、このパネルの両面に調理小物を載置するようしたもの（特許文献１）、システムキッチンのシンクやガステーブルの下などに配置されている収納扉の内側に調理器具差し込んで包丁などを収容可能な収納庫を設けたもの（特許文献２）、システムキッチンのガステーブルの後側の壁面部分に開閉扉を有する調理器具収納キャビネットを設けるもの（特許文献３）などが提案されている。
【先行技術文献】
【特許文献】
【０００３】
【特許文献１】特許第４２５９４５７号公報
【特許文献２】特開平５−１９２２６０号公報
【特許文献３】特開６２−１３７０１４号公報
【発明の概要】
【発明が解決しようとする課題】
【０００４】  上記特許文献１示された調理器具の収納構造においては、調理器具の取り出しという観点では操作性が良いが、パネルの表面に吊り下げられた調理器具については、常に露出した状態となりキッチン周りの景観が良くないという問題があった。また、上記特許文献２、特許文献３の調理器具の収納方法においては、調理器具の取り出しのために必ず扉の開閉操作を行う必要があり、実際に調理中に必要な調理器具を取り出すのには操作性が悪いとう問題があった。
そこで、本発明では、キッチン周りの景観を損ねることなく調理器具の取り出しを容易することができる調理器具収納ユニットを提供することをその課題とする。
【課題を解決するための手段】
【０００５】  上記した課題を解決するために本発明の調理器具収納ユニットは、一方の表面側に調理器具を掛止または収容することにより前記調理器具を収納するための部材が取付けられた板状の調理器具収納パネルと、前記調理器具収納パネルをその一側面側で片持ち状態で保持する保持部材と、前記保持部材を介して前記調理器具収納パネルの一方の表面側に収容された調理器具が取り出し可能な第１の位置と前記調理器具収納パネルの他方の表面により前記一方の表面側に収納された調理器具が隠れる第２の位置との間を回動可能にシステムキッチンなどに取り付けるための支柱部材とより構成されることを特徴とする。【０００６】  また、本発明の調理器具収納ユニットにおける支柱部材は、前記調理器具収納パネルが前記第１の位置および前記第２の位置において、前記調理器具収納パネルの上部側が前記調理器具収納パネルの下部側よりも所定の角度、前記第１の位置および前記第２位置の間の空間よりも、その外側方向に傾斜するように前記保持部材を介して保持することを一つの特徴とする。【０００７】  また、本発明の調理器具収納ユニットは、一方の表面側に調理器具を掛止または収容することにより前記調理器具を収納するための部材が取付けられた板状の調理器具収納パネルと、前記調理器具収納パネルをその一側面側で片持ち状態で保持するとともに、垂直方向に延び、少なくても両端部が円柱状に構成されている第１の保持部材と、前記第１の保持部材の前記両端部を回動可能に収容する溝を備えた上下２つの第２の保持部材を備え、前記第１の保持部材を介して前記調理器具収納パネルの一方の表面側に収容された調理器具が取り出し可能な第１の位置と前記調理器具収納パネルの他方の表面により前記一方の表面側に収納された調理器具が隠れる第２の位置との間を回動可能にシステムキッチンなどに取り付けるための支柱部材とより構成されたことを一つの特徴とする。【０００８】  また、本発明の調理器具収納ユニットにおける前記上下２つの第２の保持部材は、前記調理器具収納パネルが前記第１の位置および前記第２の位置において、前記調理器具収納パネルの上側が前記調理器具収納パネルの下側よりも所定の角度、前記第１の位置および前記第２の間の空間よりも外側方向に傾斜するように支柱部材に対して前記支柱部材の周方向の位置が互い異なるように取付けられていることを一つの特徴とする。【０００９】  また、本発明の調理器具収納ユニットにおける前記上下２つの第２保持部材の前記支柱部材の軸方向への取付け間隔は、前記第１の保持部材の軸方向の長さより短く、且つ、少なくても前記上側の第２の保持部材に設けられた前記第１の保持部材の一方の先端部を収容する前記溝の深さは、前記第１の保持部材の軸方向の全長から前記支柱部材の取付け間隔の距離を引いた長さよりも深く構成されていることを一つの特徴とする。【００１０】  また、本発明の調理器具収納ユニットにおける前記支柱部材は、両端において、前記調理器具収納パネルをシステムキッチンなどに固定するための平板状のガイドを備えるとともに、前記支柱部材の軸方向の長さを変化させる構造を有することを一つの特徴とする。
【発明の効果】
【００１１】  本発明は板状の調理器具収納パネルの一方の表面に調理器具を掛止または収容することにより前記調理器具を収納するための部材が取付けられている。そして、この調理器具収納パネルを調理器具収納パネルの一方の表面側に収容された調理器具が取り出し可能な第１の位置と前記調理器具収納パネルの他方の表面により前記一方の表面側に収納された調理器具が隠れる第２の位置との間を回動可能とした。
この結果、上記第１の位置においては、調理器具を容易に取り出すことが出来るとともに、調理器具を使用しない時には、この調理器具収納パネルを第２の位置にすることより、一方の表面に収納された調理器具が外から見えなくなるため、この調理器具収容ユニットをシステムキッチンに取り付けて使用して美観を損なうことが無くなる。【００１２】  また、本発明の調理器具収納パネルが前記第１の位置および前記第２の位置において、調理器具収納パネルの上部側が前記調理器具収納パネルの下部側よりも所定の角度、前記第１の位置および前記第２の位置の空間よりも、その外側方向に傾斜するように取り付けることにより、前記調理器具収容パネルが第１または第２の位置の間では停止せず、前記調理器具収容パネルの自重によって第１または第２の位置に移動するように構成されている。このように構成することにより、例えば、システムキッチンのカズテーブル付近のこの調理器具収容ユニットを取り付けた場合、調理器具収納パネルがガステーブルの上で止まることによる火災の発生などを未然に防止することができる。【００１３】  さらに、本発明の調理器具収納ユニットにおける支柱部材は、両端にガイドを備えるとともに、固定伸縮調整棒（所謂、突っ張り棒）の構成となっているので、色々なタイプのシステムキッチンや調理場に容易取り付けることができるとともに、ガイドにより特にシステムキッチンのコーナーなどに取り付ける場合の垂直方向の位置決めが容易となるという効果がある。
【図面の簡単な説明】
【００１４】
【図１】本発明にかかる調理器具収納ユニットをシステムキッチンに取付けて調理器具収納パネルを第１の位置にした場合の斜視図である。
【図２】本発明にかかる調理器具収納ユニットをシステムキッチンに取付けて調理器具収納パネルを第２の位置にした場合の斜視図である。
【図３】本発明にかかる調理器具収納ユニットの詳細構成の一例を示す正面図である。
【図４】本発明にかかる調理器具収納ユニットの詳細構成の一例を示す第１の側面図である。
【図５】本発明にかかる調理器具収納ユニットの詳細構成の一例を示す正面から見た断面図である。
【図６】本発明にかかる調理器具収納ユニットの詳細の構成の一例を示す上面から見た図である。
【図７】本発明にかかる調理器具収納パネルの一方の表面の構成の一例を示す図である。
【図８】図７に示す調理器具収納パネルの側面図である。
【図９】調理器具収納パネルの取付け構造を説明するための図である。
【発明を実施するための形態】
【００１５】  本発明の実施形態は図面を参照して詳細に説明する。
図１は、本発明にかかる調理器具収納ユニットをシステムキッチンに取付けて調理器具収納パネルを後述する第１の位置にした場合の斜視図を示し、図２は、本発明にかかる調理器具収納ユニットをシステムキッチンに取付けて調理器具収納パネルを後述する第２の位置にした場合の斜視図である。
【００１６】  図１および図２おけるシステムキッチンは、全体のシステムキッチンの一部を示し、システムキッチンのうちガステーブルＣが設けられている部分を示している。従って、図１および図２の左側には、図示しないシンクなどが設けられている。
【００１７】  システムキッチンは、ガステーブルＣの奥側の壁Ａと、その壁と直交（９０°）する方向に設けられた側壁Ｂを有する。そして、天井部にはガステーブルにＣ対応して換気フードＤなどが設けられている。
【００１８】  本発明にかかる調理器具収納ユニットは、例えば、長方形の形をした平板状の調理器具収納パネル１を有する。この調理器具収納パネル１は、図１に示すように、一方の表面１ｂ側には、この構成には限定されないが、調理器具１３を掛止または収容するためのワイヤーネット１０（フック４箇所に設けられたフック１２により表面１ｂ止められている）や鍋蓋掛け１１などが設けられている。
【００１９】  そしてこの調理器具収納パネル１は、詳細構造は後述する第１の保持部材９が取付けられ、この第１の保持部材９を介して支柱部材２に回動可能に取り付けられている。
【００２０】  具体的には、この第１の保持部材９は、調理器具収納パネル１の一方の側面側に取付けられ、調理器具収納パネル１を片持ち状態で保持し、第１の保持部材９の両端部を回動可能に保持する一対の第２の保持部材７、８を介して支柱部材２に取付けられる。
【００２１】  支柱部材２は、角柱や円柱などの棒状の部材より構成され、軸方向に伸縮可能であり、また所定の長さで固定可能な固定部材５（詳細は後述する）を備えている。図１および図２に示すように、この実施例では、システムキッチンの奥側の壁Ａと、側壁Ｂとが直交するコーナー部分に設けられ、ガステーブル台Ｃの面と換気フードＤ側の面との間に突っ張った状態で固定されている。
【００２２】  また、支柱部材２の両端部には、平板状のガイド部材３および４が設けられ、コーナー部分の位置決めのために使用される。
【００２３】  このような構成の調理器具収容ユニットは、調理器具収納パネル１に収納された調理器具１３を取り出し可能な第１の位置、即ち、図１で示す位置と、図２で示す、調理器具収納パネル１に収納された調理器具１３が隠れる第２の位置を移動可能となっている。このように構成することにより、実際に調理器具１３を取り出すときには、図１の第１の位置に調理器具収納パネル１を回動配置し、使用しない時には、図２の第２の位置に調理器具収納パネル１を回動配置することで、調理器具１３を取り出すとき以外は、図２の第２の位置に調理器具収納パネル１配置されるので、調理器具１３が見えなくなり、キッチンの美観を損なうことがなくなる。
【００２４】  なお、調理器具収納パネル１の調理器具１３を収納している面の反対の面１ａは、図２に示すように、実施例においては、特に何も施されていないが、例えば、この表面１ａの色や模様などをシステムキッチンなどの色や模様と統一することで、さらに美観を向上させることもできる。また、調理器具収納パネル１を例えば、ホワイトボードやスケジュールボードと呼ばれるものと同等の構成（ホワイトボードマーカによる記入や磁石の使用が出来る）のものにすることで、表面１ａを予定表として使用したり、献立表などを磁石によって貼り付けたりして使用することで、活用範囲を広げることも出来る。
【００２５】  もう一つの本発明の大きな特徴としては、調理器具収納パネル１は、上下方向に垂直ではなく、多少の傾きを持って取り付けられている点である。
図１で説明すると、調理器具収納パネル１は、図１に示す第１の位置おいて、上部側が下部側に比して、側壁Ｂ側に倒れて配置されている。図２で説明すると、調理器具収納パネル１は、図２に示す第２の位置おいて、上部側が下部側に比して奥側の壁Ａ側に所定角度倒れた状態となっている。
このように構成することで、調理器具収納パネル１は、図１の第１の位置と、図２の第２の位置では側壁Ｂ側または奥の壁Ａ側に倒れ掛かる状態で安定に維持されるが、その中間、すなわち、図１および図２の例では、カズテーブルＣの上では、安定に維持することが出来ず、調理器具収納パネル１は、図１の第１の位置か、図２の第の位置に自重により移動することとなる。このように構成することで、調理器具収納パネル１が図１で示す第１の位置または、図２で示す第２の位置でしか停止しないこととなり、図１および図２で示したような場所（火を使う場所）にこの調理器具収容ユニットを取り付けたとしても第１および第２の位置でしか安定に維持されないので、安全に使用することができる。
【００２６】  なお、調理器具収納パネル１を多少の傾きを持って取り付ける方法しては、色々な方法があるが、本実施例では、詳細は後述するが、第１の保持部材９の両端部を回動可能に保持する一対の第２の保持部材７、８を支柱部材２に対して取り付ける位置を工夫している。支柱部材１と上下一対の保持部材７，８を、支柱部材２の軸方向と直交する周方向に互いに所定の距離ずらして取り付けることで実現している。
なお、実施例以外に支柱部材２を垂直に取り付けるのではなく、所定の角度を付けて取り付ける方法などが考えられる。
【００２７】  図３は本発明にかかる調理器具収納ユニットの構成を示す正面図である。なお、図３において使用される参照符号は図１または図２で使用された番号が同一のものは同一のものを示し、図３以降の図においても同じである。
【００２８】  調理器具収納パネル１は、上述したように一例として長方形の板状のもので構成され、一方の表面１ａと、他方の表面１ｂ（調理器具１３が収納される側で隠れて見えない）を有する。
【００２９】  支柱部材２は、内部が空洞で構成された第１部材２ａとその中に挿入される第２の部材２ｂより構成されることで長さ調整（伸縮調整）が出来る構造となっている。そして長さ調整が終わった所で、第１の部材２ａに設けられた固定ネジ５を第２の部材２ｂに向かってネジ締めすることでネジ圧によって第１の部材２ａと第２の部材２ｂとの間の伸縮方向が規制され固定される。
【００３０】  平板状のガイド３および４は、図１および図２で説明したように、上下の壁（台）ＤとＥおび側壁Ｂとの間の位置決め用のガイドとして働く。予め壁からのスペースの調整に対応したサイズと支柱部材２を挿入する穴の位置を適正に作成することにより、容易に支柱部材２を垂直に設置することが可能となる。
なお、支柱部材２の上部には、間隔調整ネジ６が設けられ、上述した固定ネジ５で固定した後にさらに強固に固定するために、支柱部材２の軸方向への加圧を加えるための軸方向に間隔が広がるように構成されている（具体的な構成は図４以降で説明する）。
【００３１】  調理器具収納パネル１の一側面側（図の右側端部に近い位置）には、調理器具収納パネル１に設けられた円柱状の第１の第１の保持部材９が設けられている。後述するが、この第１の保持部材は、調理器具収納パネル１の表面１ａと並行であり、調理器具収納パネル１の表面から所定の間隔をおいて、調理器具収納パネル１の表面１ａと第１の保持部材を取り付けるための部材９ａと９ｂが設けられている。また、この第１の第１の保持部材９は、調理器具収納パネルを長尺方向水平に取り付けるため、後述する支柱部材２に設けられた第２の保持部材の取付け位置が異なることにより生ずる調理器具収納パネル１の傾斜を補正するために、所定角度傾けて取り付けられている。
【００３２】  そして、この第１の保持部材９は、支柱部材２に回動可能に取り付けるために、支柱部材２の上下に設けられた一対の第２の保持部材７、８に取り付けられる。この第２の保持部材７、８は、図に示すように、支柱部材２の上部側に設けられた第２の保持部材７は、支柱部材２の右側側面に設けられているのに対し、支柱部材２の下部側に設けられた第２の保持部材８は、支柱部材２の正面側に設けられている。従って、調理器具収納パネル１は、上部側が図の奥側に傾斜して取付けられている。この結果、調理器具収納パネル１は、常に図の奥側に倒れ掛かるように維持されることになる。
【００３３】  図４は、図３において、この調理器具収納ユニットを矢印Ｅ側か見た側面図を示し、図５は、図３に示した方向と同方向の正面図で、図６は、図３および図５における矢印Ｆ側から支柱部材９の部分を上から見た図を示す。
【００３４】  図４では、まず、図３で説明した支柱部材２の上部である平板状のガイド４との間に設けられた間隔調整ネジの詳細構成を表わしている。この図に使用するように、調整ネジは、支柱２上部に設けられたネジにより間隔が調整可能となっており、間隔調整ネジの頭部を図示しない調整バーなどを使って回動させることで間隔調整し、支柱部材２を両端の壁などにしっかりと固定可能となっている。
【００３５】  また、図４および図５に示すように、第１の保持部材９は、円柱状の構成で、調理器具収納パネル１に固定され、その両端が、支柱部材２に設けられた第２の保持部材７および８より保持される。
具体的な構造としては、詳細は図９で説明するが、第２の保持部材７および８が一定の深さの溝を有し、その溝の中に第１の支持部材９の両端が挿入されることで回動可能に保持される。なお、第１の保持部材９の下部端は図に示すようにスムーズに回動するように円錐形状に加工されている。
【００３６】  図４および図５および図６に示すように、第２の保持部材７、８は、支柱部材２に介して周方向に位置をずらして取付けられている。その結果図３で説明したように、調理器具収納パネル１は、図４に示すように、上部側が図の奥側に傾斜（図４参照）して取付けられることとなる。
その結果、図６で説明するように、ガステーブルＣの上に調理器具収納パネル１が位置する場合には、図１および図２で説明した、第１の位置または第２の位置に自重により移動することになる。
【００３７】  図７は調理器具収納パネル１の表面１ｂに設けられる調理器具収納のための収納部材の一例を示し、図８は、図７に示す調理器具収納パネル１の表面１ｂに設けられる調理器具収納のための収納部材の一例の側面図を示す。
調理器具収納パネル１の表面１ｂには、ワイヤーネット掛止フック１２が４箇所に設けられている。このワイヤーネット掛止フック１２によって、ワイヤーネット１０が取付けら、このワイヤーネットを使って調理器具が掛止される。またワイヤーネット１０の下部には、鍋蓋掛け１１が設けられていても良い。鍋蓋掛け１１の構成は、図８に示すように、直線状に外側に延伸しており、その間横方向に延びる溝が形成されている。その溝の間に鍋蓋を挟むようにして置くことで、鍋蓋の把手部分によって保持可能となっている。
【００３８】  図９は、図３〜図５で説明した、第１保持部材９と第２保持部材７、８との取付け構造を説明するためのものである。
図に示すように、第２の保持部材７、８には、第１の保持部材９の両端を収容可能な溝が設けられている。
この第２の保持部材の７、８の対向する距離（長さ）は第１の保持部材９の全長よりも短く設定されている。
そして、第２の保持部材７に設けられた溝の深さは第１の保持部材９の全長から第２の保持部材７、８の対向する距離（長さ）を引いた値かそれよりも若干深く設定されている。
このように構成することで、第１の保持部材９を第２の保持部材７、８に取り付けるに当たっては、図９に示すように、まず、第１の保持部材９の上部の先端部を第２の保持部材７の溝に挿入し、その後、第１の保持部材９の下部の先端部を第２の保持部材８の溝に挿入することで、取付けを完了することができる。
【符号の説明】
【００３９】１  調理器具収納パネル、２  支柱部材、３、４  ガイド、５  固定部材、６  間隔調整ネジ、７、８  第２の保持部材、９  第１の保持部材、１０  ワイヤーネット、１１  鍋蓋掛け、１２  ワイヤーネット掛止フック、１３  調理器具
【要約】
【課題】本発明では、キッチン周りの景観を損ねることなく調理器具の取り出しを容易することができる調理器具収納ユニットを提供する
【解決手段】一方の表面側１ｂに調理器具を掛止または収容することにより前記調理器具１３を収納するための部材１２が取付けられた板状の調理器具収納パネル１と、前記調理器具収納パネル１をその一側面側で片持ち状態で保持する保持部材７、８、９と、前記保持部材７、８、９を介して前記調理器具収納パネル１の一方の表面側１ｂに収容された調理器具が取り出し可能な第１の位置と前記調理器具収納パネルの他方の表面１ａにより前記一方の表面側１ｂに収納された調理器具１３が隠れる第２の位置との間を回動可能にシステムキッチンなどに取り付けるための支柱部材２とより構成する。
【選択図】図１【図１】
0006796245.tif 000002
【図２】
0006796245.tif 000003
【図３】
0006796245.tif 000004
【図４】
0006796245.tif 000005
【図５】
0006796245.tif 000006
【図６】
0006796245.tif 000007
【図７】
0006796245.tif 000008
【図８】
0006796245.tif 000009
【図９】
0006796245.tif 000010